(57)【要約】【課題】シャッタと主回路端子及び主回路断路部との絶縁距離を長く取ることができ、小形化可能とする。【解決手段】各主回路端子３１Ａ，３１Ｂに対応して配電盤２１内の側面に各連絡レバー４１Ａ，４１Ｂを支持部４２を介して回動自在に取り付けるとともに、各連絡レバー４１Ａ，４１Ｂの遮断器挿入側端部間にシャッタ支持部４３を介してシャッタ３５を支持するシャッタ支持板４０の両端を回動自在に連結し、かつ各連絡レバー４１Ａ，４１Ｂの他端間に連結支持部４４を介して連結バー４５を回動自在に連結し、この連結支持部４４は、遮断器２６の挿入時にシャッタ３５が主回路端子３１Ａ，３１Ｂを包囲する絶縁バリア３２の外周に沿って配電盤隔壁２４の近傍まで移動するように配置する。【選択図】図１
2008154409.tif 000002
【特許請求の範囲】
【請求項１】
主回路端子を包囲する絶縁バリアを有し、配電盤隔壁に複数段配設された絶縁ブッシングと、絶縁バリアの開口部を介して主回路断路部が主回路端子と接離するように配電盤内に出入される遮断器と、金属部材からなり、主回路端子と主回路断路部との間に位置し、主回路端子を開閉するシャッタと、遮断器が配電盤内を移動するのに応じてシャッタを昇降させる動作レバーとを備えた配電盤において、各主回路端子に対応して配電盤内の側面に各連絡レバーを支持部を介して回動自在に取り付けるとともに、各連絡レバーの遮断器挿入側端部間にシャッタ支持部を介してシャッタの両端を回動自在に連結し、かつ各連絡レバーの他端間に連結支持部を介して連結バーを回動自在に連結し、この連結支持部は、遮断器挿入時にシャッタが絶縁バリア外周に沿って配電盤隔壁近傍まで移動するように配置したことを特徴とする配電盤。
【請求項２】
主回路端子を包囲する絶縁バリアを有し、配電盤隔壁に複数段配設された絶縁ブッシングと、絶縁バリアの開口部を介して主回路断路部が主回路端子と接離するように配電盤内に出入される遮断器と、金属部材からなり、主回路端子と主回路断路部との間に位置し、主回路端子を開閉するシャッタと、遮断器が配電盤内を移動するのに応じてシャッタを昇降させる動作レバーとを備えた配電盤において、各主回路端子に対応して配電盤内の側面に各連絡レバーを支持部を介して回動自在に取り付けるとともに、各連絡レバーの遮断器挿入側端部間にシャッタ支持部を介してシャッタの両端を回動自在に連結し、かつ各連絡レバーの他端間に連結支持部を介して連結バーを回動自在に連結し、この連結支持部は、シャッタ支持部と支持部との間に直線を引き、連絡レバーのこの直線上以外の位置に配置し、遮断器挿入時にシャッタが絶縁バリア外周に沿って配電盤隔壁近傍まで移動するようにしたことを特徴とする配電盤。
【請求項３】
前記連結支持部は、シャッタが閉じた状態で連絡レバーの支持部より動作レバー側に配置したことを特徴とする請求項１又は２記載の配電盤。
【発明の詳細な説明】
【技術分野】
【０００１】
この発明は、遮断器が動作レバーを押圧しながら移動するのに応じて、動作レバーが回動してシャッタを昇降し、主回路端子を開閉する配電盤に関するものである。
【背景技術】
【０００２】
従来の配電盤隔壁に取り付けられた主回路端子に遮断器を電気的に接離するため、主回路端子に遮断器の主回路断路部を電気的に接続する。また、遮断器を配電盤内から外部に移動する時には、シャッタが上昇または下降し、主回路端子を閉じることにより、配電盤内で主回路端子に作業員等が触れることができないようにし、保守点検時の安全を図っている。この種の技術については特許文献１を参照して説明する。
【０００３】
即ち、図１１は特許文献１に示された従来の配電盤の縦断側面図を示し、１は配電盤本体、２はその扉である。配電盤本体1内には隔壁板３が配置され、隔壁板３には主回路端子１１Ａ，１１Ｂが貫通して上下に取り付けられる。上側の主回路端子１１Ａの一端には碍子４及び母線５と接続された導体６が電気的に接続され、電源側の主回路端子となる。下側の主回路端子１１Ｂの一端にはケーブルヘッド７を経由した導体が接続され、負荷側主回路端子となる。主回路端子１１Ａ，１１Ｂの他端側と対向配置されている遮断器８は下部に車輪９を有し、配電盤本体１内に出し入れ自在である。又、遮断器８には主回路端子１１Ａ，１１Ｂと着脱自在に接触、開離する電源側及び負荷側の主回路断路部１０Ａ，１０Ｂが設けられる。
【０００４】
シャッタ１２Ａ，１２Ｂは配電盤本体１内に左右一対設けられた連結レバー１３Ａ，１３Ｂ間に上下に取り付けられ、連結レバー１３Ａ，１３Ｂは配電盤本体１内の両側面に取り付けられたシャッタ受け１６Ａ，１６Ｂの穴に支持されるとともに、これを案内として上下方向へ駆動される。この駆動力は、遮断器８を配電盤本体１外から配電盤本体１内に収納する時に、遮断器８の両側面に配置された補助ローラ１５Ａ，１５Ｂ及び主ローラ１７Ａ，１７Ｂと一端が配電盤本体１内に取り付けられたボルト、ピン等の支持部２０を支点とした駆動レバー１４Ａ，１４Ｂとが係合しながら右側から左側へ移動する途中で、まず補助ローラ１５Ａ，１５Ｂが駆動レバー１４Ａ，１４Ｂに形成した傾斜面Ｐと接触し、駆動レバー１４Ａ，１４Ｂは支持部２０を支点として上方へ押し上げられる。駆動レバー１４Ａ，１４Ｂの他端側の長孔はピン１８を介して連結レバー１３Ａ，１３Ｂと連結され、主ローラ１７Ａ，１７Ｂは補助ローラ１５Ａ，１５Ｂが傾斜面Ｐと接触した時は、接触せず、そのまま遮断器８と共に右から左へ移動する。しかし、さらに移動すると、主ローラ１７Ａ，１７Ｂは駆動レバー１４Ａ，１４Ｂの傾斜面Ｑと接触を開始し、駆動レバー１４Ａ，１４Ｂはさらに上方へ押し上げられ、連結レバー１３Ａ，１３Ｂを介してシャッタ１２Ａ，１２Ｂは主回路端子１１Ａ，１１Ｂより上方へ押し上げられ、主回路端子１１Ａ，１１Ｂが露出し、遮断器８の主回路断路部１０Ａ，１０Ｂと電気的に接続され、電源側の主回路端子１１Ａから遮断器８を介して主回路端子１１Ｂに通電される。また、上記と逆方向に、即ち遮断器８を配電盤本体１外に移動すれば、主回路断路部１０Ａ，１０Ｂは主回路端子１１Ａ，１１Ｂから開離する。
【特許文献１】特開昭５３−７４２５５号公報
【発明の開示】
【発明が解決しようとする課題】
【０００５】
上記した従来の配電盤においては、遮断器８を配電盤本体１内に収納する時に主回路端子１１Ａ，１１Ｂが露出するが、露出した主回路端子１１Ａ，１１Ｂの外周は絶縁バリアにより包囲されており、絶縁バリアの開口部から主回路断路部１０Ａ，１０Ｂは進入し、主回路端子１１Ａ，１１Ｂに接続される。このため、絶縁バリアの開口部の上側には、シャッタ１２Ａ，１２Ｂが待機しており、シャッタ１２Ａ，１２Ｂに金属部材を使用すると、シャッタ１２Ａ，１２Ｂと主回路端子１１Ａ，１１Ｂとの間、及びシャッタ１２Ａ，１２Ｂと主回路断路部１０Ａ，１０Ｂとの間の絶縁距離を必要とし、配電盤の奥行き方向の寸法を縮小できなかった。
【０００６】
この発明は上記のような課題を解決するために成されたものであり、シャッタと主回路端子との間、及びシャッタと主回路断路部との間の絶縁距離を長くすることができ、奥行き寸法を縮小し、小形化を図った配電盤を得ることを目的とする。
【課題を解決するための手段】
【０００７】
この発明の請求項１に係る配電盤は、主回路端子を包囲する絶縁バリアを有し、配電盤隔壁に複数段配設された絶縁ブッシングと、絶縁バリアの開口部を介して主回路断路部が主回路端子と接離するように配電盤内に出入される遮断器と、金属部材からなり、主回路端子と主回路断路部との間に位置し、主回路端子を開閉するシャッタと、遮断器が配電盤内を移動するのに応じてシャッタを昇降させる動作レバーとを備えた配電盤において、各主回路端子に対応して配電盤内の側面に各連絡レバーを支持部を介して回動自在に取り付けるとともに、各連絡レバーの遮断器挿入側端部間にシャッタ支持部を介してシャッタの両端を回動自在に連結し、かつ各連絡レバーの他端間に連結支持部を介して連結バーを回動自在に連結し、この連結支持部は、遮断器挿入時にシャッタが絶縁バリア外周に沿って配電盤隔壁近傍まで移動するように配置したものである。
【０００８】
請求項２に係る配電盤は、主回路端子を包囲する絶縁バリアを有し、配電盤隔壁に複数段配設された絶縁ブッシングと、絶縁バリアの開口部を介して主回路断路部が主回路端子と接離するように配電盤内に出入される遮断器と、金属部材からなり、主回路端子と主回路断路部との間に位置し、主回路端子を開閉するシャッタと、遮断器が配電盤内を移動するのに応じてシャッタを昇降させる動作レバーとを備えた配電盤において、各主回路端子に対応して配電盤内の側面に各連絡レバーを支持部を介して回動自在に取り付けるとともに、各連絡レバーの遮断器挿入側端部間にシャッタ支持部を介してシャッタの両端を回動自在に連結し、かつ各連絡レバーの他端間に連結支持部を介して連結バーを回動自在に連結し、この連結支持部は、シャッタ支持部と支持部との間に直線を引き、連絡レバーのこの直線上以外の位置に配置し、遮断器挿入時にシャッタが絶縁バリア外周に沿って配電盤隔壁近傍まで移動するようにしたものである。
【０００９】
請求項３に係る配電盤は、前記連結支持部は、シャッタが閉じた状態で連絡レバーの支持部より動作レバー側に配置したものである。
【発明の効果】
【００１０】
以上のようにこの発明の請求項１によれば、各主回路端子に対応して配電盤内の側面に各連絡レバーを支持部を介して回動自在に取り付けるとともに、各連絡レバーの遮断器挿入側端部間にシャッタ支持部を介してシャッタの両端を回動自在に連結し、かつ各連絡レバーの他端間に連結支持部を介して連結バーを回動自在に連結し、この連結支持部は、遮断器挿入時にシャッタが絶縁バリア外周に沿って配電盤隔壁近傍まで移動するように配置しており、シャッタと主回路端子との間及びシャッタと主回路断路部との間の絶縁距離を長くすることができ、長くした分だけ配電盤を小形化し、奥行寸法を縮小できる。又、各連絡レバーは連結バーにより相互に連結されているので、同じ動作をするようになり、シャッタの動作も同じ位置を確実に移動するようになる。
【００１１】
請求項２によれば、請求項１の構成に加えて、連結支持部は、シャッタ支持部と支持部との間に直線を引き、連絡レバーのこの直線上以外の位置に配置しており、連絡レバーの回転角度を大きく取ることができ、遮断器挿入時にシャッタを確実に隔壁に移動待機することができ、シャッタと主回路端子との間及びシャッタと主回路断路部との間の絶縁距離を長くすることができ、長くした分だけ配電盤を小形化し、奥行寸法を縮小できる。その他、請求項１と同様な効果を奏する。
【００１２】
請求項３によれば、請求項１，２の構成に加えて、前記連結支持部は、シャッタが閉じた状態で連絡レバーの支持部より動作レバー側に配置しており、連絡レバーの回転角度を大きく取ることができ、シャッタと主回路端子との間及びシャッタと主回路断路部との間の絶縁距離を長くすることができ、長くした分だけ配電盤を小形化し、奥行寸法を縮小できる。その他、請求項１と同様な効果を奏する。
【発明を実施するための最良の形態】
【００１３】
以下、この発明を実施するための最良の形態を図面とともに説明する。図１〜図１０はこの発明の実施最良形態によるものであり、図１は配電盤の遮断器の断路位置における縦断側面図、図２は配電盤の遮断器を挿入しない状態での縦断側面図、図３は配電盤のシャッタ機構部を省略して遮断器を断路位置に配置した状態の縦断側面図、図４は配電盤の横断平面図、図５は配電盤の縦断正面図、図６はシャッタの正面図、図７は配電盤における主回路断路部が絶縁バリアの入口直前まで挿入された状態の縦断側面図、図８は配電盤のボールローラ位置での縦断側面図、図９は配電盤の遮断器の接続位置での縦断側面図、図１０は配電盤のシャッタ機構部を省略した状態で遮断器の接続位置での縦断側面図である。
【００１４】
図において、２１は配電盤であり、鋼板部材よりなり、天井面２２と床面２３を有する。また、配電盤２１の後端には隔壁２４が設けられるとともに、配電盤２１の前端には開口部２５が設けられ、この開口部２５から遮断器２６が配電盤２１の内外に出入りする。遮断器２６は車輪２７を有する。遮断器２６、例えば真空遮断器に配置された主回路断路部２８Ａ，２８Ｂは上段側と下段側に配置される。一般に、上段側及び下段側の主回路断路部２８Ａ，２８Ｂはそれぞれ電源側及び負荷側と称される。主回路断路部２８Ａ，２８Ｂは遮断器２６内の接触開閉器（図示せず）に電気的に接続されている。この接触開閉器は固定接触部と可動接触部とからなり、固定接触部及び可動接触部はそれぞれ主回路断路部２８Ａ，２８Ｂに接続される。従って、例えば固定接触部と可動接触部とが電気的に接続している状態から可動接触部を固定接触部から切り離すと、電気的に遮断される。このような操作は、図示しない操作機構の駆動力を可動接触部に伝達して行う。
【００１５】
隔壁２４は図３及び図４に示すように、モールドされた絶縁ブッシング２９を上段側と下段側とに取り付けている。絶縁ブッシング２９は絶縁部材よりなる絶縁隔壁３０に３相の主回路端子３１Ａ，３１Ｂを配置し、この主回路端子３１Ａ，３１Ｂは上段側及び下段側に配置されている。この上段側及び下段側の主回路端子３１Ａ，３１Ｂは主回路断路部２８Ａ，２８Ｂと対向するように配置され、主回路端子３１Ａ，３１Ｂと主回路断路部２８Ａ，２８Ｂとは電気的に接離される。主回路端子３１Ａ，３１Ｂは絶縁部材からなる絶縁バリア３２により包囲され、絶縁バリア３２及び主回路端子３１Ａ，３１Ｂは絶縁隔壁３０より主回路断路部２８Ａ，２８Ｂ及び遮断器２６側に突出している。隔壁２４及び絶縁隔壁３０には挿通孔を設け、この挿通孔に遮断器２６側から挿通した雄ねじ部３３は隔壁２４及び絶縁隔壁３０を貫通し、この貫通した雄ねじ部３３に図示しないナットを締め付け、絶縁ブッシング２９を隔壁２４に支持する。
【００１６】
図１、図２、図４及び図７〜図９に示すように、配電盤２１内にはシャッタ機構部３４を配置している。シャッタ機構部３４においては、主回路端子３１Ａ，３１Ｂと主回路断路部２８Ａ，２８Ｂ及び遮断器２６との間にシャッタ３５を配置している。シャッタ３５は金属部材、例えばステンレスからなる。シャッタ３５は、主回路端子３１Ａ，３１Ｂと主回路断路部２８Ａ，２８Ｂとの間を閉鎖する閉鎖部３５ａと、主回路断路部２８Ａ，２８Ｂを通過させる開放部３５ｂとからなる。主回路端子３１Ａ，３１Ｂと主回路断路部２８Ａ，２８Ｂとが遮断状態では、主回路端子３１Ａ，３１Ｂを閉鎖部３５ａにより閉じ、作業員等が主回路端子３１Ａ，３１Ｂに触れないようにし、安全性を確保している。この位置が図３に示す遮断器２６の断路位置Ｘ１である。なお、図１及び図２も断路位置である。
【００１７】
断路位置Ｘ１から遮断器２６が主回路端子３１Ａ，３１Ｂ側に移動して行くと、図７〜図９に示すように移動に応じて動作レバー３６が反時計方向に回動し、シャッタ３５は降下し、主回路端子３１Ａ，３１Ｂは開放部３５ｂにより露出し、主回路端子３１Ａ，３１Ｂに主回路断路部２８Ａ，２８Ｂを接続する。この位置が図９に示す接続位置Ｘ２である。従って、シャッタ３５は主回路端子３１Ａ，３１Ｂを開閉するように昇降する。この昇降は動作レバー３６により行われる。動作レバー３６は床面２３との間に弾性部材、例えば動作ばね３７を配置している。動作レバー３６は、遮断器２６側の一端を主軸３８により支持されており、主軸３８は床面２３又は配電盤２１の側面に支持されている。動作レバー３６は主軸３８側から主回路端子３１Ａ，３１Ｂ側に行くに従い順次高さが高くなり、傾斜面を形成するように、動作ばね３７により支持されている。遮断器２６が動作レバー３６を押圧しながら主回路端子３１Ａ，３１Ｂ側に移動すると、動作レバー３６は主軸３８を支点として下側に押圧され、このとき、動作ばね３７は遮断器２６の移動に応じて上昇エネルギーを蓄積するとともに、蓄積力を増加して行く。
【００１８】
動作レバー３６の他端は主レバー３９を介してシャッタ支持板４０に連結され、シャッタ支持板４０はシャッタ３５の左右端に取り付けられる。従って、動作レバー３６の操作力は主レバー３９及びシャッタ支持板４０を介してシャッタ３５に伝達され、シャッタ３５は降下して開放部３５ｂの位置となり、主回路断路部２８Ａ，２８Ｂは開放部３５ｂを通過可能となり、この開放部３５ｂ及び絶縁バリア３２の開口部を通過して主回路端子３１Ａ，３１Ｂに接続され、遮断器２６は接続位置Ｘ２に移動する。なお、従来の配電盤においては、この接続位置Ｘ２でシャッタ３５が絶縁バリア３２の入口部の上側に待機していた。
【００１９】
又、逆に、遮断器２６が配電盤２１内から外部へ移動するに従い、主回路断路部２８Ａ，２８Ｂが主回路端子３１Ａ，３１Ｂから離れて行き、遮断器２６が動作レバー３６を押圧していた押圧力が弱まり、動作ばね３７の上昇エネルギーが開放され、シャッタ３５を上昇させ、シャッタ３５の閉鎖部３５ａにより主回路端子３１Ａ，３１Ｂを閉じ、遮断器２６が断路位置Ｘ１に到達する。
【００２０】
そして、従来、接続位置Ｘ２では、シャッタは絶縁バリア３２の入口部上側で待機していたが、この実施最良形態では、図９に示すように、シャッタ３５は絶縁バリア３２の外周に沿って隔壁２４，３０の近傍で待機している。このような機構とするために、主回路端子３１Ａ，３１Ｂの両側部と配電盤２１の側面との間に連絡レバーを配置するが、便宜上主回路端子３１Ａ，３１Ｂの右側部と配電盤２１の側面との間に配置した右側連絡レバー４１Ａ，４１Ｂのみを図１に示すように図示する。４１Ａは上段側の第１の連絡レバーであり、４１Ｂは下段側の第２の連絡レバーである。ただし、機械的強度を増加すれば、左側連絡レバーを省略して右側連絡レバー４１Ａ，４１Ｂだけで実施可能である。
【００２１】
各連絡レバー４１Ａ，４１Ｂは例えば支持ピン、ボルト・ナットの締付等の支持部４２を支点として回動自在に支持され、支持部４２は配電盤２１の側面板に支持されている。又、各連絡レバー４１Ａ，４１Ｂの遮断器２６の挿入側の端部間はシャッタピン等のシャッタ支持部４３を介してシャッタ支持板４０の端部に連結される。なお、シャッタ支持板４０を省略して、シャッタ３５の端部を直接連絡レバー４１Ａ，４１Ｂに取り付けても良い。
【００２２】
これらの連絡レバー４１Ａ，４１Ｂのシャッタ支持部４３と反対側の端部間は連結支持部４４を介して連結バー４５により相互に連結され、連結バー４５は連絡レバー４１Ａ，４１Ｂの回動に応じて回動する。連結支持部４４は、遮断器２６の挿入時に、シャッタ３５が絶縁バリア３２の外周に沿って隔壁２４，３０の近傍まで回動移動することができるように、支持部４２より動作レバー３６側に配置されている（図１のＡ位置）。シャッタ３５も連絡レバー４１Ａ，４１Ｂと同方向に回動する。即ち、連結支持部４４はシャッタ３５を閉じた状態で支持部４２より動作レバー３６側に配置される。
【００２３】
復帰ばね４６は第１の連絡レバー４１Ａと固定手段５２により配電盤２１内に固定された固定金具４７との間に配設され、第１の連絡レバー４１Ａを接続位置Ｘ２から断路位置Ｘ１に復帰させる役目をしている。動作レバー３６の上昇エネルギーにより充分復帰できる場合には、省略してもよい。又、固定金具４７とシャッタ３５との間にはシャッタばね４８を取り付け、シャッタばね４８はシャッタ３５が時計方向に回動するに従って引張られ、引張りエネルギーを蓄積して行き、動作ばね３７と同じ働きをする。このシャッタばね４８は、動作ばね３７の上昇エネルギーが充分な場合には、必ずしも必要でない。又、動作ばね３７は、動作レバー３６の弾性力だけでシャッタ３５を昇降できれば、必ずしも必要としない。
【００２４】
第１の連絡レバー４１Ａは図２に示された押棒４９により回動の一部を抑制制御され、押棒４９は支持板５０に設けられ、支持板５０は取付手段５１により配電盤２１の側面に取り付けられる。
【００２５】
次に、配電盤２１のシャッタ機構部３４の動作を説明する。まず、図２，図３に示すように、遮断器２６の断路位置Ｘ１においては、主回路端子３１Ａ，３１Ｂはシャッタ３５の閉鎖部３５ａにより閉鎖されている。遮断器２６がこの断路位置Ｘ１から図１に示すように、配電盤２１内に移動すると、動作レバー３６は矢印Ｔに示すように下側に押圧されて移動し、動作レバー３６と連結された主レバー３９は時計方向に回動し、シャッタ支持板４０は下降する。このため、第１及び第２の連絡レバー４１Ａ，４１Ｂは支持部４２を支点として時計方向に回動する。シャッタ３５も各連絡レバー４１Ａ，４１Ｂと同じように回動し、その閉鎖部３５ａは主回路端子３１Ａ，３１Ｂと対向する位置に正確に配置される。このとき、下側の連結支持部４４は図１のＡ位置にあり、図７では遮断器２６の主回路断路部２８Ａ，２８Ｂは絶縁バリア３２の開口部直前にまで移動するが、この位置でも遮断器２６はまだ断路位置である。
【００２６】
次に、図８に示すように、遮断器２６がさらに配電盤２１内を移動し、主回路断路部２８Ａ，２８Ｂが絶縁バリア３２の開口部内に移動すると、動作レバー３６の下動に応じて各連絡レバー４１Ａ，４１Ｂは支持部４２を支点として時計方向に回動し、連結支持部４４が支持部４２とほぼ同じ高さになるＢ位置まで回動する。このとき、主回路断路部２８Ａ，２８Ｂは絶縁バリア３２の開口部内の主回路端子３１Ａ，３１Ｂの先端に接触した位置にある。この位置をボールローラ位置と称する。シャッタ３５は絶縁バリア３２の開口部より絶縁バリア３２の外周側に多少移動している。さらに、遮断器２６が配電盤２１内を移動すると、図９及び図１０に示すように、各連絡レバー４１Ａ，４１Ｂは支持部４２を支点として回動し、連結支持部４４は支持部４２より上側のＣ位置まで回動する。シャッタ３５は絶縁バリア３２の外周に沿って隔壁２４の近傍まで移動し、主回路断路部２８Ａ，２８Ｂは主回路端子３１Ａ，３１Ｂに完全に接触した接続位置Ｘ２まで移動する。なお、図９では、支持部４２は主回路断路部２８Ａの後側に隠れて見えないので、鎖線で示した。
【００２７】
このように、上記した実施最良形態においては、各連絡レバー４１Ａ，４１Ｂは連結バー４５により相互に連結されているので、同じ動作をするようになり、シャッタ３５の動作が相違することがなく、シャッタ３５を同じ位置に確実に移動することができるようになった。又、連結支持部４４は、金属部材のシャッタ３５が隔壁２４，３０まで移動し、かつ待機できるように、シャッタ３５が閉じた状態では、例えば支持部４２より動作レバー３６側に位置するようにしたので、シャッタ３５と主回路端子３１Ａ、３１Ｂとの間はシャッタ３５を隔壁２４，３０まで移動し、かつ待機できるようにすることができ、シャッタ３５と主回路端子３１Ａ，３１Ｂ及び主回路断路部２８Ａ，２８Ｂとの絶縁距離を長くとることができ、従来のように絶縁バリア３２の開口部端近傍でシャッタ３５が待機していたのと比べ、配電盤２１の遮断器２６の移動方向、即ち奥行方向の距離を縮小することができ、配電盤２１を小形化することができる。
【００２８】
さらに、連結支持部４４は、支持部４２及びシャッタ支持部４３との間に直線を引き、連絡レバー４１Ａ，４１Ｂのこの直線上以外の位置に配置すれば、連絡レバー４１Ａ，４１Ｂの回転角度を大きく取ることができ、シャッタ３５を確実に隔壁２４，３０に移動待機することができ、又、連結支持部４４の設定位置の選択範囲を広くすることができる。特に、連結支持部４４はシャッタ３５を閉じた状態で支持部４２より動作レバー３６側に配置すれば、各連絡レバー４１Ａ，４１Ｂの回転角度は大幅に増加し、シャッタ３５を確実に隔壁２４，３０まで移動待機できるようにすることができる。
【００２９】
なお、上記実施最良形態の他に、絶縁ブッシング２９を隔壁２４に設け、隔壁２４の上下端に遮断器２６の挿入方向に伸びるシャッタ支持板４０を設け、このシャッタ支持板４０にシャッタ３５を取り付け、シャッタ３５は動作レバー３６に連結し、動作レバー３６の動作によりシャッタ３５を昇降する構成の配電盤２１あるいはクレードルにこの発明を適用することにより、この発明と同様な効果を達成することができる。
【００３０】
以上のように、この発明の配電盤によれば、遮断器移動方向即ち奥行方向の絶縁距離を縮小できるようになり、配電盤を小形化することができる。
【図面の簡単な説明】
【００３１】
【図１】この発明の実施最良形態による配電盤の遮断器の断路位置における縦断側面図である。
【図２】実施最良形態による配電盤の遮断器を挿入しない状態での縦断側面図である。
【図３】実施最良形態による配電盤のシャッタ機構部を省略して遮断器を断路位置に配置した状態の縦断側面図である。
【図４】実施最良形態による配電盤の横断平面図である。
【図５】実施最良形態による配電盤の縦断正面図である。
【図６】実施最良形態による配電盤のシャッタの正面図である。
【図７】実施最良形態による配電盤における主回路断路部が絶縁バリアの入口直前まで挿入された状態の縦断側面図である。
【図８】実施最良形態による配電盤のボールローラ位置での縦断側面図である。
【図９】実施最良形態による配電盤の遮断器の接続位置での縦断側面図である。
【図１０】実施最良形態による配電盤のシャッタ機構部を省略した状態で遮断器の接続位置での縦断側面図である。
【図１１】特許文献１に示された従来の配電盤の縦断側面図である。
【符号の説明】
【００３２】
２１…配電盤
２４…隔壁
２６…遮断器
２８Ａ，２８Ｂ…主回路断路部
２９…絶縁ブッシング
３１Ａ，３１Ｂ…主回路端子
３２…絶縁バリア
３４…シャッタ機構部
３５…シャッタ
３６…動作レバー
３７…動作ばね
４０…シャッタ支持板
４１Ａ，４１Ｂ…連絡レバー
４２…支持部
４３…シャッタ支持部
４４…連結支持部
４５…連結バー
【図１】
2008154409.tif 000003
【図２】
2008154409.tif 000004
【図３】
2008154409.tif 000005
【図４】
2008154409.tif 000006
【図５】
2008154409.tif 000007
【図６】
2008154409.tif 000008
【図７】
2008154409.tif 000009
【図８】
2008154409.tif 000010
【図９】
2008154409.tif 000011
【図１０】
2008154409.tif 000012
【図１１】
2008154409.tif 000013